【手続補正書】
【提出日】平成25年12月18日(2013.12.18)
【手続補正１】
【補正対象書類名】特許請求の範囲
【補正対象項目名】請求項２３
【補正方法】変更
【補正の内容】
【請求項２３】
コンピュータプログラムであって、
検索クエリおよび対応する情報を検索情報ログに格納するための機能と、
１または複数の格納された検索情報ログに少なくとも部分的に基づいて、カテゴリ分布単語リストを生成するための機能と、
リトリーブされた属性単語リストに少なくとも部分的に基づいて、前記カテゴリ分布単語リストを処理するための機能と、
前記処理されたカテゴリ分布単語リストに関連付けられている検索語に対応する重み付けを決定するための機能と、
をコンピュータによって実現させる、コンピュータプログラム。
【手続補正２】
【補正対象書類名】明細書
【補正対象項目名】０１４６
【補正方法】変更
【補正の内容】
【０１４６】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
適用例１：検索を容易にする方法であって、検索クエリおよび対応する情報を検索情報ログに格納する工程と、１または複数の格納された検索情報ログに少なくとも部分的に基づいて、カテゴリ分布単語リストを生成する工程と、リトリーブされた属性単語リストに少なくとも部分的に基づいて、前記カテゴリ分布単語リストを処理する工程と、前記処理されたカテゴリ分布単語リストに関連付けられている検索語に対応する重み付けを決定する工程と、を備える、方法。
適用例２：適用例１に記載の方法であって、さらに、前記処理されたカテゴリ分布単語リストに関連付けられている前記検索語に対応する前記決定された重み付けを格納する工程を備える、方法。
適用例３：適用例２に記載の方法であって、さらに、次の検索クエリを受信する工程と、前記次の検索クエリに関連する１または複数の検索語に対応する検索語重み付けをリトリーブする工程と、前記次の検索クエリに関連する前記１または複数の検索語を用いて、インデックス化された情報を検索する工程と、前記リトリーブされた検索語重み付けに少なくとも部分的に基づいて、前記１または複数の検索語に対応する前記インデックス化された情報を順位付けて提示する工程と、を備える、方法。
適用例４：適用例３に記載の方法であって、さらに、前記次の検索クエリを構文解析して１または複数の検索語にする工程を備える、方法。
適用例５：適用例１に記載の方法であって、前記検索クエリに対応する前記情報は、１または複数の検索語、前記検索クエリに応じて返された検索結果に関連する１または複数の選択、ならびに、前記１または複数の検索語に対応する１または複数の検索カテゴリ、の内の１または複数を含む、方法。
適用例６：適用例１に記載の方法であって、前記カテゴリ分布単語リストに関連するエントリは、検索語と、対応する１または複数の検索カテゴリと、前記１または複数の検索カテゴリに対応する検索確率とを含む、方法。
適用例７：適用例１に記載の方法であって、前記リトリーブされた属性単語リストは、関連する電子商取引ウェブサイトで販売される１または複数の製品に関する情報を含む、方法。
適用例８：適用例１に記載の方法であって、リトリーブされた属性単語リストに少なくとも部分的に基づいて、前記カテゴリ分布単語リストを処理する工程は、前記カテゴリ分布単語リストに関連付けられている検索語が前記属性単語リストで見つかるか否かを判定する工程と、前記検索語が前記属性単語リストで見つかった場合、前記検索語に関連する検索確率が所定の閾値確率を超えるか否かを判定し、前記検索確率が前記所定の閾値確率を超えない場合、関連する前記検索語をフィルタ除去する工程と、前記検索語が前記属性単語リストで見つからなかった場合、前記検索語に関連するすべての検索カテゴリに関して前記検索語を均一化する工程と、を含む、方法。
適用例９：適用例１に記載の方法であって、検索語に対応する重み付けを決定する工程は、前記検索語に対応する１または複数の検索カテゴリに対応する１または複数の確率に少なくとも部分的に基づいて、前記検索語に関連するエントロピ値を計算する工程を含む、方法。
適用例１０：適用例９に記載の方法であって、さらに、前記カテゴリ分布単語リストに関連付けられている前記検索語を種類に分類する工程と、前記検索語の前記分類された種類に少なくとも部分的に基づいて、前記検索語に対応する前記重み付けを調整する工程と、を備える、方法。
適用例１１：適用例３に記載の方法であって、前記インデックス化された情報を順位付けて提示する工程は、より高い重み付けに対応する第１の検索語に、より低い重み付けに対応する第２の検索語よりも高い順位を与える工程を含む、方法。
適用例１２：システムであって、プロセッサであって、検索クエリおよび対応する情報を検索情報ログに格納し、１または複数の格納された検索情報ログに少なくとも部分的に基づいて、カテゴリ分布単語リストを生成し、リトリーブされた属性単語リストに少なくとも部分的に基づいて、前記カテゴリ分布単語リストを処理し、前記処理されたカテゴリ分布単語リストに関連付けられている検索語に対応する重み付けを決定することを実行するように構成されているプロセッサと、前記プロセッサに接続され、前記プロセッサに命令を提供するよう構成されているメモリと、を備える、システム。
適用例１３：適用例１２に記載のシステムであって、前記プロセッサは、さらに、前記処理されたカテゴリ分布単語リストに関連付けられている前記検索語に対応する前記決定された重み付けを格納するように構成されている、システム。
適用例１４：適用例１３に記載のシステムであって、前記プロセッサは、さらに、次の検索クエリを受信し、前記次の検索クエリに関連する１または複数の検索語に対応する検索語重み付けをリトリーブし、前記次の検索クエリに関連する前記１または複数の検索語を用いて、インデックス化された情報を検索し、前記リトリーブされた検索語重み付けに少なくとも部分的に基づいて、前記１または複数の検索語に対応する前記インデックス化された情報を順位付けて提示するように構成されている、システム。
適用例１５：適用例１４に記載のシステムであって、前記プロセッサは、さらに、前記次の検索クエリを構文解析して１または複数の検索語にするように構成されている、システム。
適用例１６：適用例１２に記載のシステムであって、前記検索クエリに対応する前記情報は、１または複数の検索語、前記検索クエリに応じて返された検索結果に関連する１または複数の選択、ならびに、前記１または複数の検索語に対応する１または複数の検索カテゴリ、の内の１または複数を含む、システム。
適用例１７：適用例１２に記載のシステムであって、前記カテゴリ分布単語リストに関連するエントリは、検索語と、対応する１または複数の検索カテゴリと、前記１または複数の検索カテゴリに対応する検索確率とを含む、システム。
適用例１８：適用例１２に記載のシステムであって、前記リトリーブされた属性単語リストは、関連する電子商取引ウェブサイトで販売される１または複数の製品に関する情報を含む、システム。
適用例１９：適用例１２に記載のシステムであって、リトリーブされた属性単語リストに少なくとも部分的に基づく前記カテゴリ分布単語リストの処理において、前記プロセッサは、前記カテゴリ分布単語リストに関連付けられている検索語が前記属性単語リストで見つかるか否かを判定し、前記検索語が前記属性単語リストで見つかった場合、前記検索語に関連する検索確率が所定の閾値確率を超えるか否かを判定し、前記検索確率が前記所定の閾値確率を超えない場合、関連する前記検索語をフィルタ除去し、前記検索語が前記属性単語リストで見つからなかった場合、前記検索語に関連するすべての検索カテゴリに関して前記検索語を均一化するように構成されている、システム。
適用例２０：適用例１２に記載のシステムであって、検索語に対応する重み付けの決定において、前記プロセッサは、前記検索語に対応する１または複数の検索カテゴリに対応する１または複数の確率に少なくとも部分的に基づいて、前記検索語に関連するエントロピ値を計算するように構成されている、システム。
適用例２１：適用例２０に記載のシステムであって、前記プロセッサは、さらに、前記カテゴリ分布単語リストに関連付けられている前記検索語を種類に分類し、前記検索語の前記分類された種類に少なくとも部分的に基づいて、前記検索語に対応する前記重み付けを調整するように構成されている、システム。
適用例２２：適用例１４に記載のシステムであって、前記インデックス化された情報を順位付けて提示することにおいて、前記プロセッサは、より高い重み付けに対応する第１の検索語に、より低い重み付けに対応する第２の検索語よりも高い順位を与えるように構成されている、システム。
適用例２３：コンピュータプログラム製品であって、前記コンピュータプログラム製品は、コンピュータ読み取り可能な記憶媒体内に具現化され、検索クエリおよび対応する情報を検索情報ログに格納するためのコンピュータ命令と、１または複数の格納された検索情報ログに少なくとも部分的に基づいて、カテゴリ分布単語リストを生成するためのコンピュータ命令と、リトリーブされた属性単語リストに少なくとも部分的に基づいて、前記カテゴリ分布単語リストを処理するためのコンピュータ命令と、前記処理されたカテゴリ分布単語リストに関連付けられている検索語に対応する重み付けを決定するためのコンピュータ命令と、を備える、コンピュータプログラム製品。